(57)【要約】    【課題】  接続ソケットを用いて給水配管・給湯配管に接続される水栓本体を、給水配管・給湯配管の端末の中央から左右に変位させて設置可能とすることより、水栓の操作性や水栓周辺の製品の使用に支障を生ずることのない接続ソケットを提供すること。    【解決手段】  水栓本体１０に接続される水栓本体側接続口２８を有する水栓本体側接続部２２が備えられ、壁面１裏側に引き回されて壁面１に配設された給水配管または給湯配管に接続される配管側接続口３８を有する配管側接続部２４が備えられ、水栓本体側接続部２２と配管側接続部２４とが主体部２６によって接続され全体が略クランク状に形成された接続ソケット２０において、主体部２６が互いに挿嵌接続される雄側主体部４０と雌側主体部４２とからなり、雄側主体部４０と雌側主体部４２とを固定する固定手段（ねじ孔８０とビス８１）を設けた。    【選択図】    図２
2005061063.tif 000002
【特許請求の範囲】
【請求項１】
一端側に、水栓本体に接続される水栓本体側接続口を有する水栓本体側接続部が備えられ、他端側に、壁面等の取付部裏側に引き回されて取付部に配設された給水配管または給湯配管に接続される配管側接続口を有する配管側接続部が備えられ、前記水栓本体側接続部と前記配管側接続部とが主体部によって接続され全体が略クランク状に形成された接続ソケットであって、前記主体部が互いに挿嵌接続される雄側主体部と雌側主体部とからなり、前記雄側主体部と前記雌側主体部とを固定する固定手段が設けられたことを特徴とする接続ソケット。
【請求項２】
前記固定手段が前記雌側主体部に設けられたねじ孔にねじ込まれたビスであることを特徴とする請求項１に記載の接続ソケット。
【請求項３】
前記固定手段が前記雌側主体部に形成された雌ねじと前記雄側主体部に形成された雄ねじであることを特徴とする請求項１に記載の接続ソケット。
【発明の詳細な説明】
【技術分野】
【０００１】
本発明は、一端側に、水栓本体に接続される水栓本体側接続口を有する水栓本体側接続部が備えられ、他端側に、壁面等の取付部裏側に引き回されて取付部に配設された給水配管または給湯配管に接続される配管側接続口を有する配管側接続部が備えられ、前記水栓本体側接続部と前記配管側接続部とが主体部によって接続され全体が略クランク状に形成された接続ソケットに関する。
【背景技術】
【０００２】
一端側に、水栓本体に接続される水栓本体側接続口を有する水栓本体側接続部が備えられ、他端側に、壁面等の取付部裏側に引き回されて取付部に配設された給水配管または給湯配管に接続される配管側接続口を有する配管側接続部が備えられ、前記水栓本体側接続部と前記配管側接続部とが主体部によって接続され全体が略クランク状に形成された接続ソケットが知られている。この種の従来の接続ソケットは、例えば図６に示すように、水栓本体１０の背面側に設けられた水側接続口及び湯側接続口（図示省略）に、それぞれ接続ソケット７０の水栓本体側接続部が接続され、一方、壁面１の裏側に引き回されて配設された給水配管・給湯配管（図示省略）の端末には配管側接続部７２がそれぞれ接続される。そして、この接続ソケット７０の配管側接続部７０の端末へのねじ込み具合によって、二つの接続ソケット７０ａ，ｂの水栓本体側接続部の間隔を水栓本体１０の水側接続口及び湯側接続口の間隔に合わせて調整可能とするものである。このようにして、水栓２が設置される浴室の壁面１等にあらかじめ配設された給水配管と給湯配管との間隔が区々となる場合であっても、これらの二つのクランク状の接続ソケット７０を用いることにより水栓本体側接続口の間隔を調整して、給水配管及び給湯配管と水栓本体１０とを確実かつ円滑に接続することができるようにしている（例えば、特許文献１又は特許文献２参照。）。
【０００３】
【特許文献１】特開平１１−５１２４８号公報（図１）
【特許文献２】特開平９−１４４７３号公報（図１、図５及び図７）
【発明の開示】
【発明が解決しようとする課題】
【０００４】
ところで、水栓本体１０が設置される場所など、水栓本体１０が置かれる周辺状況や使用環境によっては、水栓本体１０を左右いずれかに寄せて設置したい場合もある。例えば、水栓本体１０の左右いずれかに壁面が近接していたり、水栓本体１０の左右いずれかに収納ボックスが設置されているためその開閉扉が水栓本体１０に干渉するおそれがあるような場合には、これらから水栓本体１０をできるだけ遠ざけて、水栓本体１０のハンドル操作や収納ボックスの開閉動作に支障が生じないようにすることが望まれる。また、水栓本体１０にシャワーホースが接続されているような場合にも、水栓本体１０を壁面から左右いずれかに遠ざけてシャワーの使用時にシャワーホースが壁面等に干渉され難くすることが望まれることもある。
【０００５】
しかしながら上記した従来の接続ソケット７０を用いて給水配管・給湯配管と水栓本体１０とを接続する場合には、二つの接続ソケット７０ａ，ｂの配管側接続部７２のねじ込み具合を調節することにより、水栓本体側接続口の間隔を調整することができても、水栓本体１０は壁面１に配設された両配管の端末のほぼ中央にしか位置することができないこととなっていた。なお、二つの接続ソケット７０ａ，ｂの水栓本体側接続口の位置を一方が高く他方が低くなるようにしてねじ込みを終えれば、両配管の端末間の中央から見て左右いずれかに水栓本体１０を偏らせて固定することもできるが、このような状態の接続ソケット７０ａ，ｂに水栓本体１０を接続したのでは、水栓本体１０は正面から見て左右いずれかに傾いた状態に設置されることとなり、水栓２の美観上及び操作性の点から好ましくはなかった。
【０００６】
本発明は上記した従来の接続ソケットの問題点を解消するものであり、接続ソケットを用いて給水配管・給湯配管に接続される水栓本体を、給水配管・給湯配管の端末の中央から左右に変位させて設置可能とすることより、水栓の操作性や水栓周辺の製品の使用に支障を生ずることのない接続ソケットの提供を目的とする。
【課題を解決するための手段】
【０００７】
以上の課題を解決するために、本発明の採った手段を以下に説明する。本発明の接続ソケットは、「一端側に、水栓本体に接続される水栓本体側接続口を有する水栓本体側接続部が備えられ、他端側に、壁面等の取付部裏側に引き回されて取付部に配設された給水配管または給湯配管に接続される配管側接続口を有する配管側接続部が備えられ、前記水栓本体側接続部と前記配管側接続部とが主体部によって接続され全体が略クランク状に形成された接続ソケットであって、前記主体部が互いに挿嵌接続される雄側主体部と雌側主体部とからなり、前記雄側主体部と前記雌側主体部とを固定する固定手段が設けられたことを特徴とする接続ソケット。」（請求項１）である。
【０００８】
配管側接続部と水栓本体側接続部とを接続する主体部を互いに挿嵌接続される雄側主体部と雌側主体部とし、前記雄側主体部と前記雌側主体部とを固定手段により固定するので、本発明の接続ソケット二つを用いて水栓本体を給水配管・給湯配管に接続する場合に、一方の接続ソケットの主体部を縮め他方の接続ソケットの主体部を伸ばしてそれぞれを固定手段により固定し、それぞれの接続ソケットの水栓本体側接続口を同じ高さとしつつ両水栓本体側接続口の間隔を水栓本体の水側接続部・湯側接続部の間隔に調整することができる。このようにして接続ソケットに水栓本体を接続することにより、水栓本体を傾かせることなく給水配管・給湯配管の両端末間の中心から左右いずれかに水栓本体を変位させた状態で接続ソケットに接続固定することができる。
【０００９】
また上記した接続ソケットにおいて「前記固定手段が前記雌側主体部に設けられたねじ孔にねじ込まれたビス」とすることができる（請求項２）。
【００１０】
このように、固定手段を雌側主体部に設けられたねじ孔にねじ込まれるビスとすることにより、簡便に水栓本体を接続ソケットに接続固定することができる。
【００１１】
また上記した接続ソケットにおいて「前記固定手段が前記雌側主体部に形成された雌ねじと前記雄側主体部に形成された雄ねじ」とすることができる（請求項３）。
【００１２】
このように、固定手段を雌側主体部に形成された雌ねじと雄側主体部に形成された雄ねじとすることにより、やはり簡便に水栓本体を接続ソケットに接続固定することができる。
【発明の効果】
【００１３】
本発明は上記のように主体部を互いに挿嵌接続される雄側主体部と雌側主体部とし、雄側主体部と雌側主体部とを固定手段により固定することにより、水栓の設置状況に応じて、水栓本体を給水配管・給湯配管の端末の中央から左右に変位させて設置することができるので、水栓の操作性や水栓周辺の製品の使用に支障が生ずることを防止できる。また、特に請求項２に記載の接続ソケットでは、固定手段を雌側主体部に設けられたねじ孔にねじ込まれるビスとすることにより、このように水栓の操作性や水栓周辺の製品の使用に支障が生ずることを防止できる接続ソケットを簡便・安価に提供することができる。さらに請求項３に記載の接続ソケットでは、固定手段を雌側主体部に形成された雌ねじと雄側主体部に形成された雄ねじとすることにより、やはり水栓の操作性や水栓周辺の製品の使用に支障が生ずることを防止できる接続ソケットを簡便・安価に提供することができる。
【発明を実施するための最良の形態】
【００１４】
次に、本発明の接続ソケットの実施の形態を図を参考にして詳細に説明する。図１に示すように、本発明の接続ソケット２０は、「取付部」の一例である壁面１に水栓本体１０を固定するとともに、壁面１裏側に引き回されて壁面１の取付孔（図示省略）に配設される給水配管・給湯配管（図示省略）の端末に水栓本体１０を接続するものである。
【００１５】
図２に示すように、接続ソケット２０には、水栓本体１０側に接続される水栓本体側接続部２２と配管側に接続される配管側接続部２４とこれら両接続部２２，２４との間に設けられて両接続部２２，２４を接続する主体部２６とが備えられている。水栓本体側接続部２２と配管側接続部２４は略円筒状に形成されるとともに、互いに反対方向に突設されるようにそれぞれ主体部２６から連設されており、接続ソケット２０全体としては略クランク状に形成されている。
【００１６】
水栓本体側接続部２２には、その先端に、水栓本体１０に湯又は水を供給するために水栓本体１０背面側に突設された水側接続部又は湯側接続部（図示省略）に接続するための水栓本体側接続口２８が設けられている。水栓本体側接続口２８は、水栓本体側接続部２２の本体部３０の先端に形成された雌ねじ部３２内に、接続アダプター３４が螺着され、この接続アダプター３４にナット３６が取り付けられて構成されている。そしてこのナット３６に水栓本体１０の水側接続部又は湯側接続部が接続される。また、配管側接続部２４は、外周面に雄ねじが刻設されてその先端に配管側接続口３８が形成されている。接続ソケット２０を給水配管又は給湯配管の端末に接続する際には、この配管側接続部２４を端末にねじ込んで接続されることとなる。そして、水栓本体側接続部２２及び配管側接続部２４は、円筒状の主体部２６の端部からほぼ直角方向に屈曲されるように連設され、主体部２６とは、それぞれＬ字状をなして形成されている。さらに水栓本体側接続部２２及び配管側接続部２４はその軸心を平行にするとともに、水栓本体側接続口２８と配管側接続口３８とを逆方向に開口して、接続ソケット２０全体としては略クランク状に形成されている。
【００１７】
ついで主体部２６について説明する。主体部２６は略円筒状に形成されるとともに、上記したようにその両端に水栓本体側接続部２２と配管側接続部２４とが連設されている。主体部２６は、水栓本体側接続部２２が連設される雄側主体部４０と、配管側接続部２４が連設される雌側主体部４２とから構成されている。雄側主体部４０及び雌側主体部４２は、それぞれ略円筒状に形成されるとともに、雄側主体部４０の外径は雌側主体部４２の内径よりもやや小さく設けられて、雄側主体部４０が雌側主体部４２内に挿嵌接続されている。また、雄側主体部４０の雌側主体部４２側先端寄りには、雄側主体部４０の本体部４１よりも僅かに大径で、かつ雌側主体部４２の内径より僅かに小径に形成された接続部４４が設けられている。この接続部４４の外周面には、Ｏリング４８が装着される周溝５０が周設されており、Ｏリング４８が雌側主体部４２内周面に常時密着して雄側主体部４０と雌側主体部４２との水密が図られている。一方、雌側主体部４２の開口付近の内周面には、雄側主体部４０の本体部４１外周面に摺接する内径であって、かつ接続部４４の外径よりは小径の係止リング５２がはめ込まれている。このようにして、図３に示すように、雄側主体部４０が雌側主体部４２から引き出されて主体部２６が伸ばされたり際に、接続部４４が係止リング５２に係止されることによって、雌側主体部４２から雄側主体部４０が抜けないように設けられている。また図２に示すように、周溝５０に装着されたＯリング４８及び接続部４４外周面と、係止リング５２との２カ所において、雄側主体部４０が雌側主体部４２内に摺接保持されることにより、雄側主体部４０は雌側主体部４２内に安定的に保持され両主体部４０，４２間でがたつきが生じ難いように設けられている。
【００１８】
そして、雌側主体部４２の先端寄りにはねじ孔８０が設けられ、ビス８１をねじ込むことにより雌側主体部４２と雄側主体部４０とが固定されている。なお、雌側主体部４２に設けられるねじ孔８０は水栓本体１０が接続される側とは反対側に設けるのが美観上好ましい。
【００１９】
また、雄側主体部４０の水栓本体側接続部２２側の端部内には、給水配管又は給湯配管から水栓本体１０に供給される湯又は水内の異物などを除去するためのストレーナ５４が、接続ソケット２０の上方から取り付けられた係止キャップ５６によって収容固定されている。また、雌側主体部４２の配管側接続部２４側の端部内には、配管側接続部２４から供給される湯又は水の流量調節を行うための止水栓５８が内蔵されており、この止水栓５８に取り付けられたスピンドル６０が接続ソケット２０の正面側に露呈されつつ、係止キャップ６２によって雌側主体部４２内に収容固定されている。
【００２０】
このように構成された接続ソケット２０は、図２に示すように雄側主体部４０を雌側主体部４２奥側まで挿入した状態として主体部２６を縮めた状態とすることができる一方、図３に示すように、雄側主体部４０を雌側主体部４２から引き出した状態として主体部２６を伸ばした状態とすることもできる。また、挿嵌接続される雄側接続部４０の外周面に装着されているＯリング４８によって、主体部２６が伸縮のいずれの状態であっても雄側主体部４０と雌側主体部４２との水密は常に確保される。
【００２１】
そしてこのように構成される接続ソケット２０を二つ用いることにより、例えば図１に示すように、壁面１に向かって左側の給湯配管に接続される接続ソケット２０ａを縮めた状態とし、一方右側の給水配管に接続される接続ソケット２０ｂを伸ばした状態とするとともに、各々の接続ソケット２０ａ，ｂを各配管の端末にねじ込み、さらに水栓本体１０背面側の湯側・水側の各接続部の間隔に合わせつつ両接続ソケット２０ａ，ｂの水栓本体側接続口２８の高さも揃えて水栓本体１０に接続する。このようにして、水栓本体１０は両配管の端末位置の中間よりも左側に寄せて接続固定することができるので、例えば、右側の接続ソケット２０ｂの右側に別の壁面が近接していても、操作ハンドル１２の操作がし辛くなったり、吐水管１４をあまり右側には向けられないなど、水栓２の使用に支障を来すことはない。また、接続ソケット２０ｂの近くに収納ボックスなどが設置されているような場合においても、水栓本体１０を左寄りに配置できるので、収納ボックスの開閉扉が水栓本体１０に干渉して開き辛くなるようなおそれも減少させることができる。
【００２２】
次に第２の実施形態について図を参考にして詳細に説明する。第２の実施形態と上述の実施形態とは、図４及び図５に示すように雄側主体部と雌側主体部とを固定する固定手段が異なる点と係止リング５２がない点が相違するだけで他は上述の実施形態と同様なので異なる部分について説明する。第２の実施形態の固定手段は、雌側主体部４２の先端寄りに形成された雌ねじ８２と雄側主体部４０の基部寄りに形成された雄ねじ８３とから構成されている。雌ねじ８２は雌側主体部４２の内径より大径のねじ孔に螺刻されていて、雄ねじ８３が雌ねじ８２に螺合している。そして、雌ねじ８２と雄ねじ８３との螺進量を多くすると主体部２６を縮めた状態となり、螺進量を少なくすると主体部２６を伸ばした状態とすることができる。なお、雄側主体部４０と雌側主体部４２とは螺合により固定されるものであるから、一旦水栓本体が接続ソケットに接続固定されると雌ねじ８２と雄ねじ８３との螺進は規制されて雌側主体部４２から雄側主体部４０が抜けることがないから上述の実施形態のような係止リング５２は不要となる。
【００２３】
なお、本発明は上記した実施の形態に限られるものではなく、本発明の趣旨の範囲内で種々の変更が可能である。例えば、上記接続ソケット２０では、水栓本体側接続部２２に雄側主体部４０を、配管側接続部２４に雌側主体部４２を連設することとして、主体部２６を挿嵌接続するものとしているが、これを逆にして、水栓本体側接続部２２に雌側主体部を、配管側接続部２４に雄側主体部を連設することとしてもよい。また、主体部を互いに挿嵌接続する構成としては、他の手段を用いてもよく例えば互いに挿嵌接続される配管を多数連設するなどその手段は限定されるものではないが、水栓本体１０を壁面１に対して安定的に固定するには、接続ソケット２０のように雄側主体部４０及び雌側主体部４２各一つを挿嵌接続する構成とすることが望ましい。
【図面の簡単な説明】
【００２４】
【図１】本発明の接続ソケットを用いて接続固定される水栓の正面図である。
【図２】縮めた状態の接続ソケットの縦断面図である。
【図３】伸ばした状態の接続ソケットの縦断面図である。
【図４】第２の実施形態での縮めた状態の接続ソケットの縦断面図である。
【図５】第２の実施形態での伸ばした状態の接続ソケットの縦断面図である。
【図６】従来の接続ソケットを用いて接続固定される水栓の正面図である。
【符号の説明】
【００２５】
１；壁面、２；水栓、１０；水栓本体、１２；操作ハンドル、１４；吐水管、２０；接続ソケット、２２；水栓本体側接続部、２４；配管側接続部、２６；主体部、２８；水栓本体側接続口、３０；本体部、３２；雌ねじ部、３４；接続アダプター、３６；ナット、３８；配管側接続口、４０；雄側主体部、４１；本体部、４２；雌側主体部、４４；接続部、４８；Ｏリング、５０；周溝、５２；係止リング、５４；ストレーナ、５６；係止キャップ、５８；止水栓、６０；スピンドル、６２；係止キャップ、７０；接続ソケット、配管側接続部７２、８０；ねじ孔、８１；ビス、８２；雌ねじ、８３；雄ねじ。
【図１】
2005061063.tif 000003
【図２】
2005061063.tif 000004
【図３】
2005061063.tif 000005
【図４】
2005061063.tif 000006
【図５】
2005061063.tif 000007
【図６】
2005061063.tif 000008